(57)【要約】【課題】セル内に高速パケット通信を行う移動局が存在する場合でも、セル全体の干渉量が大幅に増加させない。【解決手段】雑音比較回路１３は、雑音推定回路１１により推定された雑音電力Ｎ１を入力し、この雑音電力Ｎ１とパケット通信回路１から与えられた干渉量閾値Ｎ２とを比較して、この比較結果Ｎ３をＴＰＣビット生成回路１４へ出力する。ＴＰＣビット生成回路１４は、高速パケット送信中の移動局の送信電力の一定時間内の増加量が増加量閾値を超えた場合、またはセル内全体の干渉量が干渉量閾値を超えた場合には、ＳＩＲ推定回路１２からのＴＰＣコマンドＴＰＣ１を用いることなく、ＴＰＣ２＝０として送信電力を減ずる旨のＴＰＣコマンドＴＰＣ２をＴＰＣ多重回路１５に出力する。【選択図】図１
2006222849.tif 000002
【特許請求の範囲】
【請求項１】
移動局からの上り送信電力を制御するための上り送信電力制御を行うＣＤＭＡ基地局装置であって、
移動局からの上り信号に含まれるパイロット信号に基づいて上り信号電力を推定する信号電力推定回路と、
前記パイロット信号に基づいて上り信号の雑音電力を推定する雑音推定回路と、
前記信号電力推定回路により推定された上り信号電力および前記雑音推定回路により推定された雑音電力から上り信号のＳＩＲを推定し、推定した上り信号のＳＩＲを予め定められた目標ＳＩＲと比較し、該比較結果をＴＰＣコマンドとして出力するＳＩＲ推定回路と、
前記雑音推定回路により推定された雑音電力をセル内全体の干渉量として、予め設定された干渉量閾値と比較して、該比較結果を出力する雑音比較回路と、
パケット通信回路から入力されたスケジューリング信号に基づいて、送信電力制御を行うとする移動局が高速パケット通信を行うか否かを判定し、当該移動局が高速パケット通信を行わないと判定した場合、前記ＳＩＲ推定回路からのＴＰＣコマンドをそのまま最終的なＴＰＣコマンドとして出力し、当該移動局が高速パケット通信を行うと判定した場合、前記雑音比較回路における比較結果を参照して、現時点でのセル内全体の干渉量が前記干渉量閾値を超えている場合、送信電力を減ずる旨のＴＰＣコマンドを最終的なＴＰＣコマンドとして出力し、現時点でのセル内全体の干渉量が前記干渉量閾値以下の場合、前記ＳＩＲ推定回路から出力されたＴＰＣコマンドのうちの送信電力を増加させる旨のＴＰＣコマンドを一定時間積算することにより、該一定時間内における送信電力増加量を算出し、該送信電力増加量が予め設定された増加量閾値を超えた場合、送信電力を減ずる旨のＴＰＣコマンドを最終的なＴＰＣコマンドとして出力し、前記送信電力増加量が前記増加量閾値を超えていなかった場合、前記ＳＩＲ推定回路からのＴＰＣコマンドをそのまま最終的なＴＰＣコマンドとして出力するＴＰＣビット生成回路と、
前記ＴＰＣビット生成回路により生成された最終的なＴＰＣコマンドを移動局に送信する下り信号に多重するＴＰＣ多重回路と、
を備えているＣＤＭＡ基地局装置。
【請求項２】
ＣＤＭＡ基地局装置において、移動局からの上り送信電力を制御するための上り送信電力制御方法であって、
移動局からの上り信号に含まれるパイロット信号に基づいて上り信号電力を推定するステップと、
前記パイロット信号に基づいて上り信号の雑音電力を推定するステップと、
推定された前記上り信号電力および前記雑音電力から上り信号のＳＩＲを推定し、推定された上り信号のＳＩＲを予め定められた目標ＳＩＲと比較するステップと、該比較結果をＴＰＣコマンドとして生成するステップと、
推定された前記雑音電力をセル内全体の干渉量として、予め設定された干渉量閾値と比較して、該比較結果を出力するステップと、
パケット通信回路から入力されたスケジューリング信号に基づいて、送信電力制御を行うとする移動局が高速パケット通信を行うか否かを判定するステップと、
当該移動局が高速パケット通信を行わないと判定した場合、前記ＴＰＣコマンドをそのまま最終的なＴＰＣコマンドとするステップと、
当該移動局が高速パケット通信を行うと判定した場合、前記セル内全体の干渉量と干渉量閾値との比較結果を参照して、現時点でのセル内全体の干渉量が前記干渉量閾値を超えている場合、送信電力を減ずる旨のＴＰＣコマンドを最終的なＴＰＣコマンドとし、現時点でのセル内全体の干渉量が前記干渉量閾値以下の場合、生成された前記ＴＰＣコマンドのうちの送信電力を増加させる旨のＴＰＣコマンドを一定時間積算することにより、該一定時間内における送信電力増加量を算出するステップと、
該送信電力増加量が予め設定された増加量閾値を超えた場合、送信電力を減ずる旨のＴＰＣコマンドを最終的なＴＰＣコマンドとするステップと、
前記送信電力増加量が前記増加量閾値を超えていなかった場合、生成された前記ＴＰＣコマンドをそのまま最終的なＴＰＣコマンドとするステップと、
生成された前記最終的なＴＰＣコマンドを移動局に送信する下り信号に多重するステップと、
を備えている上り送信電力制御方法。
【発明の詳細な説明】
【技術分野】
【０００１】
本発明は、移動局からの上り送信電力を制御するための上り送信電力制御（ＴＰＣ：Transmission Power Control）を行うＣＤＭＡ基地局装置および上り送信電力制御方法に関する。
【背景技術】
【０００２】
近年、移動通信システムに用いられる通信方式として、干渉や妨害に強いＣＤＭＡ（符号分割多元接続：Code Division Multiple Accessd）通信方式が注目されている。このＣＤＭＡ通信方式とは、送信側では送信したいユーザ信号を拡散符号により拡散して送信し、受信側ではその拡散符号と同一の拡散符号を用いて逆拡散を行うことにより元のユーザ信号を得る通信方式である。
【０００３】
そして、このＣＤＭＡ通信方式では、複数の送信側がそれぞれ直交性を有する異なる拡散符号を使用して拡散を行ない、受信側では逆拡散を行う際に使用する拡散符号を選択することにより各通信の特定を行うことができるため、複数の通信により同一の周波数帯域を使用することができる。
【０００４】
しかし、使用する全ての拡散符号の間で完全に直交性を保つことは困難であるため、実際にはそれぞれの拡散符号は完全な直交とはならず、他符号との間に相関成分を有することとなる。そのため、これらの相関成分が自通信にとっては干渉成分となり、通信品質の劣化要因となる。このような要因で干渉成分が生じるため、通信の数が増えるに従って干渉成分も増加する。そのため、全ての移動局の送信電力を一定の値としたのでは、基地局に近い移動局からの電波が強すぎて遠い移動局からの信号が大きな干渉を受けてしまうといういわゆる遠近問題が発生してしまうことになる。そこで、移動局から基地局への信号である上り信号の送信電力を適当な値とするような上り送信電力制御が行われている。
【０００５】
このような上り送信電力制御を行う従来のＣＤＭＡ基地局装置の構成を図３のブロック図に示す。この従来のＣＤＭＡ基地局装置は、図３に示されるように、パケット通信回路１と、複数のＣＤＭＡ変復調回路３２と、ＲＦ変換回路３と、多重回路４と、アンテナ５とから構成されている。
【０００６】
さらに、ＣＤＭＡ変復調回路３２は、それぞれ、復調回路６と、変調回路７と、分離回路８と、データ復号回路９と、信号電力推定回路１０と、雑音推定回路１１と、ＳＩＲ推定回路１２と、ＴＰＣ多重回路１５と、スケジューリング信号多重回路１６と、データ符号回路１７とから構成されている。
【０００７】
ＲＦ変換回路３は、アンテナ５から入力されたＲＦ帯の上り信号をベースバンド帯のディジタル信号Ｒ１に変換し、各ＣＤＭＡ変復調回路２内の復調回路６に入力する。また、多重回路４からのコード多重化された信号Ｔ１をＲＦ帯の信号に変換して、その結果をアンテナ５へ出力する。
【０００８】
多重回路４は、各ＣＤＭＡ変復調回路３２内の変調回路７から送信された各ベースバンド信号Ｔ２をコード多重し、その結果Ｔ１をＲＦ変換回路３へ出力する。
【０００９】
復調回路６は、ＲＦ変換回路３からのディジタル信号Ｒ１に対して、パスサーチ、レイク（Rake）合成、逆拡散を行い、上り個別ＣＨ（Ｒ２）を分離回路８に、パケットＣＨ（ＰＫＴ１）をパケット通信回路１へ出力する。
【００１０】
移動局からＣＤＭＡ基地局装置に対しては、図４に示されるような構成の上り個別ＣＨ（チャネル）、パケットＣＨ（チャネル）という２つの上り信号が送信される。なお、図４は、Ｗ−ＣＤＭＡ（Wide band−ＣＤＭＡ：広帯域ＣＤＭＡ）方式における上り信号の構成である。
【００１１】
個別ＣＨは、図４に示されるように、パイロット（Pilot）信号、パケットリクエスト（Packet Request）信号（ＲＱ）、データ部から構成され、パケットＣＨはパケットデータのみで構成される。パケットＣＨは高速パケット通信時のみ使われる。図４に示されるＣＨは全てスロット（slot）構成をとっており、上り個別ＣＨ、パケットＣＨに対する送信電力制御もスロット単位に行われる。基地局から移動機に対しては図４の下り個別ＣＨが送信され、このＣＨは、パイロット信号、 スケジューリング信号（ＳＣ）、データ部から構成される。
【００１２】
分離回路８は、復調回路６からの上り個別ＣＨ（Ｒ２）内の各ブロックを分離し、データ部ＵＬＤ１をデータ復号回路９へ、パイロット信号Ｐ１を信号電力推定回路１０および雑音推定回路１１へ、移動局からのパケット送信要求を示すリクエスト信号ＲＱ１をパケット通信回路１へ出力する。
【００１３】
データ復号回路９は、分離回路８から入力されたデータ部ＵＬＤ１に対して予め定められた方式で誤り訂正復号を行い、その結果ＵＬＤ２を外部のデータ処理装置へ出力する。
【００１４】
信号電力推定回路１０は、分離回路８から入力されたパイロット信号Ｐ１に基づいて移動局からの上り信号の信号電力を推定し、推定した上り信号電力Ｓ１をＳＩＲ推定回路１２へ出力する。
【００１５】
雑音推定回路１１は、分離回路８から入力されたパイロット信号Ｐ１に基づいて移動局からの上り信号の雑音電力を推定し、推定した雑音電力Ｎ１をＳＩＲ推定回路１２へ出力する。
【００１６】
ＳＩＲ推定回路１２は、信号電力推定回路１０からの上り信号電力Ｓ１および雑音推定回路１１からの雑音電力Ｎ１から信号対雑音比（ＳＩＲ：Signal to Interference power Ratio）を推定し、その結果を予め定められた目標ＳＩＲ（Target SIR）と比較し、その比較結果をＴＰＣコマンドＴＰＣ１としてＴＰＣ多重回路１５へ出力する。この、ＴＰＣコマンドＴＰＣ１は、ＳＩＲ推定回路１２により得られた信号対雑音比が目標ＳＩＲより大きければ“０”、小さければ“１”となる。つまり、このＴＰＣコマンドＴＰＣ１が“０”の場合は移動局に対し送信電力減少、“１”の場合は送信電力増加のコマンドとなる。
【００１７】
パケット通信回路１は、分離回路８からのリクエスト信号ＲＱ１を受信すると予め定められたアルゴリズムに従い、そのリクエストを許可するか否かを判断する。そして、パケット通信回路１は、その結果をスケジューリング情報ＳＣ１としてスケジューリング信号多重回路１６へ出力する。さらに、パケット通信回路１は、移動局からの高速パケット信号ＰＫＴ１を予め定められた方式で誤り訂正復号し、その結果ＰＫＴ２を外部のデータ処理装置へ出力する。
【００１８】
データ符号回路１７は、外部のデータ処理装置から入力された移動局向けのデータＤＬＤ１を予め定められた方式で符号化し、その結果を符号化されたデータＤＬＤ２としてスケジューリング信号多重回路１６に出力する。
【００１９】
スケジューリング信号多重回路１６は、データ符号回路１７からの符号化されたデータＤＬＤ２にパケット通信回路からのスケジューリング情報ＳＣ１を多重し、その結果ＤＬＤ３をＴＰＣ多重回路１５へ出力する。
【００２０】
ＴＰＣ多重回路１５は、スケジューリング信号多重回路１６からのＤＬＤ３に対し、ＳＩＲ推定回路１２からのＴＰＣコマンドＴＰＣ１を多重し、その結果をデータＤＬＤ４として変調回路７へ出力する。
【００２１】
変調回路７は、ＴＰＣ多重回路１５からのデータＤＬＤ４を予め定められた方式で変調し、その結果をベースバンド信号Ｔ２として多重回路４へ出力する。
【００２２】
上記で説明したようなＣＤＭＡ基地局装置装置で行われる従来のクローズドループの送信電力制御は、受信ＳＩＲを予め定められた閾値と比較することにより、移動局に対して送信電力の増減を制御していた。しかし、ＳＩＲは信号対雑音電力比である為、干渉量が増大するとＳＩＲが下がり、その結果基地局は移動局に対して送信電力増加を指示するという制御が働く。そして、全ての移動局においてこの動作が行われる為、セル全体の干渉量は増加傾向になる。
【００２３】
このような弊害を防止するためのクローズドループの上り送信電力制御方法としては、様々な方法が提案されている（例えば、特許文献１、２参照。）。しかし、いずれの従来の上り送信電力制御方法も、セル内に上り高速パケット通信を行う移動局が存在する場合については考慮していない。そのため、このような従来の上り送信電力制御方法を用いると、高速パケット通信を行う移動局が存在する場合、上記のような弊害はより顕著になる。移動局から高速なパケットを送信する場合には、伝送品質を確保する為通常はより高い電力で送信する必要がある。しかし、これは他の移動局にとっては干渉量の増大となる為、基地局と移動局間の上り方向（移動局→基地局）でクローズドループの送信電力制御を行っている場合、伝送品質を確保する為他の移動局の送信電力も増加させてしまうことになる。その結果、高速パケットを送信している移動局にとっても同様に干渉量の増大となる為、送信電力を更に増加させる。この結果、セル内のほとんどの移動局の送信電力が増加する為、セル全体の干渉量が増加してしまうという問題点が発生してしまう。
【００２４】
そして、ＣＤＭＡ通信方式では、セル全体の干渉量で収容できる移動局数が決まるため、セル全体の干渉量が増加してしまうことは収容可能な移動局数の減少につながる。これを避ける為、通常は予め所望の移動局数が通信できるセル全体の干渉量閾値を決め、その干渉量のマージンの中で高速パケット通信を行う。しかし、上記のように高速パケットが存在すると、セル全体の干渉量が増加してしまう為、その場合でも収容できる移動局数を減らさないためには上記干渉量閾値を下げ、干渉量が少し上がっても収容できる移動局数が減らないようにする工夫が必要になる。しかし、これは上記干渉量閾値を下げるという点でセル内の使用効率が下がってしまうという問題点につながっていた。
【特許文献１】特開平１１−２７５６３９号公報
【特許文献２】特開２０００−２４４３９１号公報
【発明の開示】
【発明が解決しようとする課題】
【００２５】
上述した従来のＣＤＭＡ基地局装置では、基地局と移動局間の上り方向でクローズドループの送信電力制御を行っているため、高速パケット通信を行う移動局がセル内に存在した場合、セル全体の干渉量が増加してしまうという問題点があった。
【００２６】
本発明の目的は、セル内に高速パケット通信を行う移動局が存在する場合でも、セル全体の干渉量が大幅に増加することのないＣＤＭＡ基地局装置および上り送信電力制御方法を提供することである。
【課題を解決するための手段】
【００２７】
上記目的を達成するために、本発明のＣＤＭＡ基地局装置は、移動局からの上り送信電力を制御するための上り送信電力制御を行うＣＤＭＡ基地局装置であって、
移動局からの上り信号に含まれるパイロット信号に基づいて上り信号電力を推定する信号電力推定回路と、
前記パイロット信号に基づいて上り信号の雑音電力を推定する雑音推定回路と、
前記信号電力推定回路により推定された上り信号電力および前記雑音推定回路により推定された雑音電力から上り信号のＳＩＲを推定し、推定した上り信号のＳＩＲを予め定められた目標ＳＩＲと比較し、該比較結果をＴＰＣコマンドとして出力するＳＩＲ推定回路と、
前記雑音推定回路により推定された雑音電力をセル内全体の干渉量として、予め設定された干渉量閾値と比較して、該比較結果を出力する雑音比較回路と、
パケット通信回路から入力されたスケジューリング信号に基づいて、送信電力制御を行うとする移動局が高速パケット通信を行うか否かを判定し、当該移動局が高速パケット通信を行わないと判定した場合、前記ＳＩＲ推定回路からのＴＰＣコマンドをそのまま最終的なＴＰＣコマンドとして出力し、当該移動局が高速パケット通信を行うと判定した場合、前記雑音比較回路における比較結果を参照して、現時点でのセル内全体の干渉量が前記干渉量閾値を超えている場合、送信電力を減ずる旨のＴＰＣコマンドを最終的なＴＰＣコマンドとして出力し、現時点でのセル内全体の干渉量が前記干渉量閾値以下の場合、前記ＳＩＲ推定回路から出力されたＴＰＣコマンドのうちの送信電力を増加させる旨のＴＰＣコマンドを一定時間積算することにより、該一定時間内における送信電力増加量を算出し、該送信電力増加量が予め設定された増加量閾値を超えた場合、送信電力を減ずる旨のＴＰＣコマンドを最終的なＴＰＣコマンドとして出力し、前記送信電力増加量が前記増加量閾値を超えていなかった場合、前記ＳＩＲ推定回路からのＴＰＣコマンドをそのまま最終的なＴＰＣコマンドとして出力するＴＰＣビット生成回路と、
前記ＴＰＣビット生成回路により生成された最終的なＴＰＣコマンドを移動局に送信する下り信号に多重するＴＰＣ多重回路とを備えている。
【００２８】
本発明によれば、ＳＩＲ推定回路により出力されたＴＰＣコマンドをそのままＴＰＣ多重回路に出力するのではなく、ＴＰＣビット生成回路がＳＩＲ推定回路により出力されたＴＰＣコマンド、雑音比較回路からの比較結果及びパケット通信回路から与えられるスケジューリング情報に基づいて、最終的な移動局へのＴＰＣコマンドを生成してＴＰＣ多重回路へ出力するようにしている。従って、高速パケット通信を行う移動局の一定時間内の送信電力の増減を記憶し、増加量がある一定値を超えた場合は、移動局の送信電力を下げるような制御が可能となり、セル全体の干渉量が大幅に増加することを防ぐことができる。更にその時点でのセル全体の干渉量と予め定められた干渉量閾値を比較し、干渉量が閾値を越えてしまった場合は、移動局の送信電力を下げさせる制御を行う。これにより、高速パケット通信をおこなっている移動局の送信電力が急激に増加してしまうのを抑え、且つセル全体の干渉量を前述の閾値内に抑えることができる。
【発明の効果】
【００２９】
以上説明したように、本発明によれば、下記のような効果を得ることができる。
【００３０】
（１）ある移動局から高電力で高速パケット信号を送信した場合でも、予め定められたセル全体の干渉量閾値を超えないように該当移動局の送信電力を制御できる。
【００３１】
（２）また、もし上記を超えた場合でも、移動局の送信電力を素早く下げることによりセル全体の干渉量を上記の干渉量閾値以内に抑えることができる。
【発明を実施するための最良の形態】
【００３２】
次に、本発明の実施の形態について図面を参照して詳細に説明する。
【００３３】
本発明はＣＤＭＡ方式を用いて基地局と移動局が無線通信を行うことを前提としており、且つ基地局、移動局間でクローズドループの上り送信電力制御が行われる事を前提としている。
【００３４】
図１は本発明の一実施形態のＣＤＭＡ基地局装置の構成を示すブロック図である。図１において、図３中の構成要素と同一の構成要素には同一の符号を付し、説明を省略するものとする。
【００３５】
本実施形態のＣＤＭＡ基地局装置は、パケット通信回路１、複数のＣＤＭＡ変復調回路２、ＲＦ変換回路３、多重回路４、アンテナ５から構成される。
【００３６】
さらに、ＣＤＭＡ変復調回路２は、それぞれ、復調回路６と、変調回路７と、分離回路８と、データ復号回路９と、信号電力推定回路１０と、雑音推定回路１１と、ＳＩＲ推定回路１２と、雑音比較回路１３と、ＴＰＣビット生成回路１４と、ＴＰＣ多重回路１５と、スケジューリング信号多重回路１６と、データ符号回路１７とから構成されている。
【００３７】
本実施形態におけるＣＤＭＡ変復調回路２は、図３に示した従来のＣＤＭＡ基地局装置におけるＣＤＭＡ変復調回路３２に対して、雑音比較回路１３とＴＰＣビット生成回路１４が新たに備えられた点が異なっている。
【００３８】
また、本実施形態におけるパケット通信回路１は、各移動局からの個別ＣＨ、パケットＣＨの受信品質を保証できるセル全体の干渉量閾値Ｎ２を決定し、この干渉量閾値Ｎ２を雑音比較回路１３へ出力する。
【００３９】
雑音比較回路１３は、雑音推定回路１１により推定された雑音電力Ｎ１を入力し、この雑音電力Ｎ１とパケット通信回路１から与えられた干渉量閾値Ｎ２とを比較して、この比較結果Ｎ３をＴＰＣビット生成回路１４へ出力する。
【００４０】
ＴＰＣビット生成回路１４は、ＳＩＲ推定回路１２により出力されたＴＰＣコマンドＴＰＣ１、雑音比較回路１３からの比較結果Ｎ３及びパケット通信回路１から与えられるスケジューリング情報ＳＣ１に基づいて、最終的な移動局へのＴＰＣコマンドＴＰＣ２を生成し、これをＴＰＣ多重回路１５へ出力する。
【００４１】
具体的には、ＴＰＣビット生成回路１４は、パケット通信回路１から入力されたスケジューリング信号ＳＣ１に基づいて、送信電力制御を行うとする移動局が高速パケット通信を行うか否かを判定し、当該移動局が高速パケット通信を行わないと判定した場合、ＳＩＲ推定回路１２からのＴＰＣコマンドＴＰＣ１をそのまま最終的なＴＰＣコマンドＴＰＣ２としてＴＰＣ多重回路１５に出力する。また、当該移動局が高速パケット通信を行うと判定した場合、ＴＰＣビット生成回路１４は、雑音比較回路１３における比較結果Ｎ３を参照して、現時点でのセル内全体の干渉量Ｎ１が干渉量閾値Ｎ２を超えている場合、送信電力を減ずる旨のＴＰＣコマンド（ＴＰＣ２＝０）を最終的なＴＰＣコマンドＴＰＣ２として出力する。また、現時点でのセル内全体の干渉量Ｎ１が干渉量閾値Ｎ２以下の場合、ＴＰＣビット生成回路１４は、ＳＩＲ推定回路１２から出力されたＴＰＣコマンドＴＰＣ１のうちの送信電力を増加させる旨のＴＰＣコマンド（ＴＰＣ１＝“１”）を一定時間である周期Ｔ１において積算することにより、一定時間内における送信電力増加量ＴＰＣ３を算出し、この送信電力増加量ＴＰＣ３が予め設定された増加量閾値ＴＰＣ４を超えた場合、送信電力を減ずる旨のＴＰＣコマンド（ＴＰＣ２＝０）を最終的なＴＰＣコマンドＴＰＣ２として出力し、送信電力増加量ＴＰＣ３が増加量閾値ＴＰＣ４を超えていなかった場合、ＳＩＲ推定回路１２からのＴＰＣコマンドＴＰＣ１をそのまま最終的なＴＰＣコマンドＴＰＣ２としてＴＰＣ多重回路１５に出力する。
【００４２】
本実施形態におけるＴＰＣ多重回路１５は、スケジューリング信号多重回路１６からのＤＬＤ３に対し、ＴＰＣビット生成回路１４からのＴＰＣコマンドＴＰＣ２を多重し、その結果をデータＤＬＤ４として変調回路７へ出力する。
【００４３】
次に、本実施形態のＣＤＭＡ基地局装置の動作を図面を参照して詳細に説明する。
【００４４】
基地局、移動局間で行われるクローズドループの送信電力制御は、従来と同様前述のＴＰＣ２が移動局で受信されると、“０”の場合は送信電力を下げ、“１”の場合は上げる制御が行われる。
【００４５】
高速パケットの通信方法は、まず移動局で有意なデータが発生すると、前述のＲＱ１によって基地局に対してリクエスト信号を送信する。パケット通信回路１がこれを受信すると、予め定められた方式に従いこれを許可するかどうかを判断する。もし許可する場合は、送信タイミング及び送信方式をスケジューリング信号ＳＣ１として下り信号に多重し、これが移動局で受信されることにより移動局はパケット通信を開始する。スケジューリング信号ＳＣ１に含まれる送信方式には、パケットＣＨで使用される拡散コード数、コード番号、帯域拡散率、個別ＣＨに対する送信電力オフセット値が含まれる。従って、移動局から送信される個別ＣＨ、パケットＣＨの送信電力は以下のように決まる。
個別ＣＨ： ＰＷＲ１（Ｔ）＝ＰＷＲ（Ｔ−１）＋Δ１×(ＴＰＣ)
パケットＣＨ:  ＰＷＲ２（Ｔ）＝ＰＷＲ１（Ｔ）＋Δ２
上記のΔ１は、ＴＰＣ２によって決まるオフセット値であり、Δ２は上述のスケジューリング信号ＳＣ１によって指定される個別ＣＨに対するオフセット値になる。これは、個別ＣＨの上り送信電力制御によるパワー変動はパケットＣＨにも影響することを意味すると共に、個別ＣＨの上り送信電力制御によりパケットＣＨの送信電力も同様に制御できることを意味する。
【００４６】
以下に、ＴＰＣビット生成回路１４において行われる、パケットＣＨの送信電力変動の抑制動作について説明する。図２はＴＰＣビット生成回路１４の動作を示すフローチャートである。本動作はスロット毎に行われるものとする。
【００４７】
ＴＰＣビット生成回路１４はパケット通信回路１より該当移動局が高速パケット通信を行うか否かを示すスケジューリング信号ＳＣ１が与えられる。スケジューリング信号ＳＣ１により「スケジューリング無し」が通知された場合（ステップ２０１）、ＴＰＣ２＝ＴＰＣ１とする（ステップ２０７）。
【００４８】
ステップ２０１において「スケジューリング有り」として通知された場合は、まず雑音比較回路１３からのＮ３信号から、現時点でのセル内全体の干渉量Ｎ１と干渉量閾値Ｎ２との比較結果を参照する（ステップ２０２）。Ｎ１＞Ｎ２の場合は、現時点でのセル内全体の干渉量Ｎ１がパケット通信回路１が決定した干渉量閾値Ｎ２を既に超えていることを意味する為、ＴＰＣ２＝０とし移動局に対しＮ２≧Ｎ１になるまで個別ＣＨ、パケットＣＨの送信パワーを下げさせる（ステップ２０３）。これによりセル全体の干渉量を閾値Ｎ２以下に抑えることができる。
【００４９】
ステップ２０２においてＮ２≧Ｎ１の場合は、スケジューリングが開始されてからどれくらい時間が経過したかをチェックする（ステップ２０４）。ステップ２０４において、スケジューリングが開始されてから経過した時間が予め定められた周期Ｔ１を超えていなければ、スケジューリング中に内部で格納しているＴＰＣ３を以下のように更新し（ステップ２０６）、ＴＰＣ２＝ＴＰＣ１とする（ステップ２０７）。
ＴＰＣ３(Ｔ)＝ＴＰＣ３(Ｔ−１）＋ＴＰＣ１
上記の周期Ｔ１を超えていた場合は、直前のＴＰＣ３を予め定められたスレッショルドである増加量閾値ＴＰＣ４と比較し（ステップ２０５）、ＴＰＣ３＞ＴＰＣ４の場合は、ＴＰＣ２＝０として出力する（ステップ２０３）。このような処理を行うようにしているのは、移動局からの個別ＣＨ、パケットＣＨの送信電力の一定時間内の最大増加量を制限し、スケジューリング中に極端に増加してしまうのを抑制する為である。
【００５０】
つまり、ＴＰＣ３（０）＝０とすることにより、スケジューリングが開始されてから周期Ｔ１を経過するまでにＳＩＲ推定回路１２からのＴＰＣコマンドＴＰＣ１が“１”であった回数がＴＰＣ３に累積されることになる。そして、周期Ｔ１経過後にこのＴＰＣ３の値と予め設定された閾値であるＴＰＣ４とを比較して、周期Ｔ１経過までの送信電力アップ指示の回数がある閾値を超えていた場合、一定時間内の送信電力の増加量が大きすぎると判定する。そして、この場合に、ＴＰＣ多重回路１５に出力するＴＰＣコマンドＴＰＣ２＝０とすることにより送信電力ダウンの指示が行われ、スケジューリング中に極端に送信電力が増加してしまうことが抑制される。
【００５１】
本実施形態によれば、ＴＰＣビット生成回路１４は、高速パケット送信中の移動局の送信電力の一定時間内の増加量が増加量閾値を超えた場合、またはセル内全体の干渉量が干渉量閾値を超えた場合には、ＳＩＲ推定回路１２からのＴＰＣコマンドＴＰＣ１を用いることなく、ＴＰＣ２＝０として送信電力を減ずる旨のＴＰＣコマンドＴＰＣ２をＴＰＣ多重回路１５に出力する。そのため、高速パケット送信中の移動局の送信電力の一定時間内の増加量を制限、且つ予め定められた干渉量閾値を超えた場合は送信電力を下げることができる為、セル内の干渉量を一定に保つことができる。また、従来のクローズドループの送信電力制御の中でこの制御を行うことにより素早い制御が可能になり、その結果干渉閾値をあまりマージンを持たせず高く設定することができる。これは、セルの使用効率を上げるという効果につながる。
【００５２】
なお、本実施形態では、移動局との間の通信方式としてＷ−ＣＤＭＡ通信方式を用いたＣＤＭＡ基地局装置に対して本発明を適用した場合を用いて説明したが、本発明はこれに限定されるものではなく、移動局と間でＣＤＭＡ通信方式以外のスペクトラム拡散通信を用い上り送信電力制御を行っている他のＣＤＭＡ基地局装置に対しても同様に本発明を適用することができるものである。
【図面の簡単な説明】
【００５３】
【図１】本発明の第１の実施形態のＣＤＭＡ基地局装置の構成を示すブロック図である。
【図２】図１中のＴＰＣビット生成回路１４の動作を示すフローチャートである。
【図３】従来のＣＤＭＡ基地局装置の構成を示すブロック図である。
【図４】移動局からＣＤＭＡ基地局装置に送信される上り個別ＣＨ、パケットＣＨの構成を示す図である。
【符号の説明】
【００５４】
１    パケット通信回路
２    ＣＤＭＡ変復調回路
３    ＲＦ変換回路
４    多重回路
５    アンテナ
６    復調回路
７    変調回路
８    分離回路
１０    信号電力推定回路
１１    雑音推定回路
１２    ＳＩＲ推定回路
１３    雑音比較回路
１４    ＴＰＣビット生成回路
１５    ＴＰＣ多重回路
１６    スケジューリング信号多重回路
１７    データ符号回路
３２    ＣＤＭＡ変復調回路
２０１〜２０７    ステップ
【図１】
2006222849.tif 000003
【図２】
2006222849.tif 000004
【図３】
2006222849.tif 000005
【図４】
2006222849.tif 000006